(57)【特許請求の範囲】
【請求項１】
前側に表示面を有する表示部と、
該表示部の周縁部を取り囲むフロントキャビネットと、
前記表示部の後側を覆うバックキャビネットと
を備え、
前記バックキャビネットは開口部が設けられたバックキャビネット本体及び該開口部を閉鎖するように該バックキャビネット本体に取り付けられる蓋体からなる表示装置において、
前記蓋体は前記バックキャビネット本体を構成する材料と異なる材料から構成されており、
前記開口部はバックキャビネット本体における前記表示部と対向する領域に設けられており、
前記バックキャビネット本体における前記開口部の周縁の前側面には、内筒及び該内筒を包囲する外筒が周設されている
ことを特徴とする表示装置。
【請求項２】
前記蓋体は前記バックキャビネット本体よりも難燃性の低い材料から構成されている
ことを特徴とする請求項１に記載の表示装置。
【請求項３】
前記表示部及びバックキャビネットの間に固定された回路基板を備え、
前記開口部は前記バックキャビネット本体における前記回路基板と対向しない領域に設けられている
ことを特徴とする請求項１又は請求項２に記載の表示装置。
【請求項４】
前記蓋体の前側面の周縁部には、前記内筒の周壁端に係止される係止爪が複数設けられている
ことを特徴とする請求項１から請求項３までのいずれか一項に記載の表示装置。
【請求項５】
前記係止爪は、
前記蓋体の前側面に設けられた基部と、
該基部の内側面及び前記蓋体の前側面がなす角部に設けられた補強リブと
を有する
ことを特徴とする請求項４に記載の表示装置。
【請求項６】
前記外筒の開口面、前記開口部及び蓋体は夫々矩形状をなし、
前記蓋体の一長辺側面には、該蓋体を前記バックキャビネット本体に対して位置決めする位置決め突部が設けられており、
該位置決め突部と対向する前記外筒の長手方向の一周壁には、該位置決め突部が遊挿可能な開口が設けられており、
前記一周壁の内面における前記開口の周囲には、前記位置決め突部を該開口に案内する案内突部が設けられており、
該案内突部の後側面には、窪みが設けられており、
前記内筒は前記案内突部の内側縁を含む前記開口部の周縁に設けられている
ことを特徴とする請求項１から請求項５までのいずれか一項に記載の表示装置。
【請求項７】
請求項１から請求項６までのいずれか一項に記載の表示装置と、
テレビ放送を受信する受信部と
を備え、
前記表示装置は前記受信部が受信したテレビ放送の映像を表示するようにしてある
ことを特徴とするテレビ受信装置。
【発明の詳細な説明】
【技術分野】
【０００１】
本発明は、液晶テレビ、プラズマテレビ等の表示装置及びテレビ受信装置に関する。
【背景技術】
【０００２】
薄型テレビ等の薄型表示装置は、表示部を覆うフロントキャビネット及びバックキャビネットからなる筐体を有している。バックキャビネットは、搬送性の向上、組み立ての容易化等のために複数の部材に分割されることがある（例えば、特許文献１、２参照）。
ところで、薄型表示装置は大型化傾向にあるため、その筐体を成形する場合、次々とより大型の成形機が必要となる。新たな大型成形機の投入が薄型表示装置の生産体制に間に合わない場合、筐体を複数の部材に分割し、分割した筐体の各部材を既存の成形機により成形する。
【先行技術文献】
【特許文献】
【０００３】
【特許文献１】特開２００９−１７１５２０号公報
【特許文献２】特開２００８−２１６３４７号公報
【発明の概要】
【発明が解決しようとする課題】
【０００４】
一方、火災、その他の事故から人命及び財産を保護するため、製品機器に関する火災防護並びに機械的及び電気的防護の安全規格が定められている。そこで、表示装置の筐体を複数の部材に分割した場合であっても、火災防護等の安全規格をクリアする必要がある。
【０００５】
本発明は斯かる事情に鑑みてなされたものである。その目的は、筐体を分割しつつ、安全性を担保することができる表示装置及びテレビ受信装置を提供することにある。
【課題を解決するための手段】
【０００６】
本願に係る表示装置は、前側に表示面を有する表示部と、該表示部の周縁部を取り囲むフロントキャビネットと、前記表示部の後側を覆うバックキャビネットとを備え、前記バックキャビネットは開口部が設けられたバックキャビネット本体及び該開口部を閉鎖するように該バックキャビネット本体に取り付けられる蓋体からなる表示装置において、前記蓋体は前記バックキャビネット本体を構成する材料と異なる材料から構成されており、前記開口部はバックキャビネット本体における前記表示部と対向する領域に設けられており、前記バックキャビネット本体における前記開口部の周縁の前側面には、内筒及び該内筒を包囲する外筒が周設されていることを特徴とする。
【０００７】
本願に係る表示装置では、表示部、フロントキャビネット及びバックキャビネットを備えている。表示部は、前側に表示面を有す。フロントキャビネットは、表示部の周縁部を取り囲んでいる。バックキャビネットは、表示部の後側を覆っている。バックキャビネットは、バックキャビネット本体及び蓋体を含む。バックキャビネット本体には、開口部が設けられている。蓋体は、バックキャビネット本体の開口部を閉鎖するように、バックキャビネット本体に取り付けられる。バックキャビネット本体及び蓋体は、異なる材料から構成されている。
開口部は表示部と対向するバックキャビネット本体の領域に設けられている。バックキャビネット本体における開口部周縁の前側面には、内筒とこの内筒を包囲する外筒とが周設されている。
バックキャビネット本体及び蓋体の両者を同一材料で構成した場合、高コストとなる可能性がある。バックキャビネット本体及び蓋体の一方を安全規格の等級が低い材料で成形することにより、コスト削減を図ることができる。一方、バックキャビネット本体及び蓋体の他方を安全規格の等級が高い材料で成形することにより、安全性が担保される。
開口部の周縁の前側面は、表示装置の内面である。その内面に設けられた外筒は、開口部内の空間と発火の可能性を有する表示装置内部とを隔てるエンクロージャとしての機能を有する。外筒の内側に包含される内筒は、更なるエンクロージャとしての機能を有する。これにより、開口部内に火災防災上の安全空間が確保される。また、ユーザがバックキャビネットから蓋体を取り外し、開口部の周内面である内筒の周壁内面に接触した場合であっても、ユーザの安全は確保される。
【０００８】
本願に係る表示装置は、前記蓋体は前記バックキャビネット本体よりも難燃性の低い材料から構成されていることを特徴とする。
【０００９】
本願に係る表示装置では、蓋体はバックキャビネット本体よりも難燃性の低い材料から構成されている。発火の危険性が小さいバックキャビネットの領域に開口部を設置する場合、蓋体の材料をバックキャビネット本体の材料よりも難燃性の低いものにすることで、コストの削減を図ることができる。一方、バックキャビネット本体を難燃性の高い材料で成形することにより、火災防護の安全性は担保される。
【００１０】
本願に係る表示装置は、前記表示部及びバックキャビネットの間に固定された回路基板を備え、前記開口部は前記バックキャビネット本体における前記回路基板と対向しない領域に設けられていることを特徴とする。
【００１１】
本願に係る表示装置では、回路基板を備えている。回路基板は、表示部とバックキャビネットの間に固定される。バックキャビネット本体の開口部は、回路基板と対向しない領域に設けられている。
回路基板は、高圧電流が印加された場合、高温となる恐れがある発熱体である。蓋体は、バックキャビネット本体において回路基板と対向しない領域に設けられた開口部を覆う部材である。そのため、蓋体が難燃性の低い材料で成形された場合であっても、火災防護上、特段の問題を生じない。
【００１４】
本願に係る表示装置は、前記蓋体の前側面の周縁部には、前記内筒の周壁端に係止される係止爪が複数設けられていることを特徴とする。
【００１５】
本願に係る表示装置では、バックキャビネット本体の開口部を覆う蓋体の前側面の周縁部には、内筒の周壁端に係止される係止爪が複数設けられている。
蓋体に設けられた係止爪がバックキャビネット本体に設けられた内筒の周壁端に係止することにより、蓋体は開口部の周辺のバックキャビネット本体に固定され、開口部は閉鎖される。
【００１６】
本願に係る表示装置は、前記係止爪は、前記蓋体の前側面に設けられた基部と、該基部の内側面及び前記蓋体の前側面がなす角部に設けられた補強リブとを有することを特徴とする。
【００１７】
本願に係る表示装置では、係止爪は、基部及び補強リブを有す。基部は蓋体の前側面に設けられている。補強リブは、基部の内側面と蓋体の前側面がなす角部に設けられている。補強リブは、係止爪の基部を補強する機能を有し、係止爪の強度を増大させることができる。
【００１８】
本願に係る表示装置は、前記外筒の開口面、前記開口部及び蓋体は夫々矩形状をなし、前記蓋体の一長辺側面には、該蓋体を前記バックキャビネット本体に対して位置決めする位置決め突部が設けられており、該位置決め突部と対向する前記外筒の長手方向の一周壁には、該位置決め突部が遊挿可能な開口が設けられており、前記一周壁の内面における前記開口の周囲には、前記位置決め突部を該開口に案内する案内突部が設けられており、該案内突部の後側面には、窪みが設けられており、前記内筒は前記案内突部の内側縁を含む前記開口部の周縁に設けられていることを特徴とする。
【００１９】
本願に係る表示装置では、外筒の開口面と、開口部と、蓋体とは、夫々矩形状をなす。蓋体の一長辺側面には、蓋体をバックキャビネット本体に対して位置決めする位置決め突部が設けられている。位置決め突部と対向する外筒の長手方向の一周壁には、位置決め突部が遊挿することができる開口が設けられている。外筒の長手方向の一周壁内面には、位置決め突部を開口に案内する案内突部が設けられている。案内突部の後側面には、窪みが設けられている。
外筒の開口の周囲に設けられた案内突部の窪みに沿って、蓋体の位置決め突部を前進させることにより、位置決め突部を開口部の周縁に設けられた外筒の開口に挿入することができる。これにより、蓋体をバックキャビネット本体に取り付ける場合、バックキャビネット本体に対する蓋体の位置決め作業及び取り付け作業の容易化を図ることができる。開口部の周縁には案内突部の内側縁が含まれるため、内筒の周壁は案内突部の部分では内側に張り出している。
【００２０】
本願に係るテレビ受信装置は、上記に記載の表示装置と、テレビ放送を受信する受信部とを備え、前記表示装置は前記受信部が受信したテレビ放送の映像を表示するようにしてあることを特徴とする。
【００２１】
本願に係るテレビ受信装置では、上記の表示装置及びテレビ放送を受信する受信部を備えている。表示装置は、受信部が受信したテレビ放送の映像を表示する。これにより、テレビ受信装置のバックキャビネットを分割した場合であっても、火災防護等の安全性を担保することができる。
【発明の効果】
【００２２】
本願に係る表示装置等によれば、筐体を分割しつつ、安全性を担保することができる。
【図面の簡単な説明】
【００２３】
【図１】テレビ受信装置の概略斜視図である。
【図２】組み立てられた表示部及びフロントキャビネットの一例をテレビ受信装置の後側から示す平面図である。
【図３】バックキャビネットの一例をテレビ受信装置の後側から見た平面図である。
【図４】バックキャビネットの一例を示す概略斜視図である。
【図５】バックキャビネットの分割部材の一例をテレビ受信装置の後側から見た平面図である。
【図６】バックキャビネット本体の一例を示す概略斜視図である。
【図７】カバーの一例をテレビ受信装置の後側から見た平面図である。
【図８】カバーの一例をテレビ受信装置の前側から見た平面図である。
【図９】カバーの一例を示す概略斜視図である。
【図１０】カバーの一例を示す概略斜視図である。
【図１１】板状突部の一例をテレビ受信装置の後側から見た平面図である。
【図１２】板状突部の一例を示す斜視図である。
【図１３】バックキャビネット本体の裏側面における開口部縁付近の部分拡大図である。
【図１４】組み立てられたバックキャビネット本体及びカバーにおける開口部の周縁部分の一例を示す概略斜視図である。
【図１５】バックキャビネット本体の表側面における開口部縁付近の部分拡大図である。
【図１６】カバーをバックキャビネット本体に取り付ける途中の状態を示す説明図である。
【図１７】係止爪の一例を示す説明図である。
【図１８】係止爪の一例を示す断面図である。
【図１９】カバーの係止爪がバックキャビネット本体を係止する様子を示した説明図である。
【図２０】係止爪に対応するカバー表側面の一部を示す説明図である。
【図２１】係止爪が当接する開口部の周部の部分拡大図である。
【図２２】バックキャビネットの組み立て途中の状態を示す説明図である。
【図２３】バックキャビネットの組み立て途中の状態を示す説明図である。
【図２４】バックキャビネットの組み立て途中の状態を示す説明図である。
【図２５】テレビ受信装置の前側から見たバックキャビネット本体における開口部の周縁部及びカバー周縁部を示す説明図である。
【図２６】組み立てられた状態のバックキャビネット本体及びカバーの概略断面図である。
【図２７】開口部の下側の周縁部を示す説明図である。
【図２８】バックキャビネットを組み立てた状態における板状突部及び案内突部の断面図である。
【図２９】カバー裏側面の周縁部における拡大斜視図である。
【図３０】開口部の周縁付近のバックキャビネット本体及びカバーの断面図である。
【図３１】カバーの角部が浮き上がる変形に関する説明図である。
【図３２】組み立て後のバックキャビネット本体及びカバーの一例をテレビ受信装置の後側から見た平面拡大図である。
【図３３】バックキャビネット本体及びカバーに夫々設けられた孔及び円柱突起の一例を示す説明図である。
【図３４】カバーがバックキャビネット本体に取り付けられた場合における孔及び円柱突起の一例を示す説明図である。
【図３５】バックキャビネットの分割部材の一例をテレビ受信装置の後側から見た平面図である。
【図３６】バックキャビネットの一例をテレビ受信装置の後側から見た平面図である。
【図３７】バックキャビネットの分割部材の一例をテレビ受信装置の後側から見た平面図である。
【図３８】バックキャビネットの分割部材の一例をテレビ受信装置の前側から見た平面図である。
【図３９】バックキャビネットの分割部材の一例をテレビ受信装置の後側左斜め下から見た斜視図である。
【図４０】バックキャビネットの組み立て途中の状態を示す説明図である。
【図４１】バックキャビネットの組み立て途中の状態を示す説明図である。
【図４２】バックキャビネットの一例をテレビ受信装置の後側から見た平面図である。
【図４３】バックキャビネットの一例をテレビ受信装置の前側から見た平面図である。
【図４４】バックキャビネットの一例をテレビ受信装置の後側左斜め下から見た斜視図である。
【図４５】バックキャビネットを成形する金型の一例を示す断面図である。
【図４６】バックキャビネット本体に仕切り部を重ねて示した説明図である。
【図４７】バックキャビネットを成形する金型の一例を示す断面図である。
【図４８】バックキャビネットを成形する金型の一例を示す断面図である。
【発明を実施するための形態】
【００２４】
以下、本発明の一実施例におけるテレビ受信装置を、実施の形態を示す図面に基づいて説明する。本実施の形態に係るテレビ受信装置は、例えば液晶ディスプレイ、プラズマディスプレイ、有機ＥＬ（Electro Luminescence）ディスプレイ、ＳＥＤ（Surface-conduction Electron-emitter Display）等のフラットパネルを含む。以下では、テレビ受信装
置の一例として、液晶ディスプレイを備えたテレビ受信装置を挙げて説明する。
なお、本発明は、以下の実施の形態に限定されるものではない。
【００２５】
実施の形態１
図１は、テレビ受信装置１の概略斜視図である。ここで、テレビ受信装置１が映像を表示する表示面２１に対して視聴者が正対した場合、表示面２１から視聴者側を前側、その反対である表示面２１から奥側を後側とする。表示面２１は横長の略矩形であり、視聴者から表示面２１に向かって、表示面２１の長辺方向右側を右、表示面２１の長辺方向左側を左とする。後側からテレビ受信装置１を見た場合、左右は前側の左右と逆になる。また、視聴者から表示面２１に向かって、表示面２１の短辺方向上側を上、表示面２１の短辺方向下側を下とする。図１は、テレビ受信装置１を前側右斜め上から示している。
【００２６】
テレビ受信装置１は、表示部２、フロントキャビネット３、バックキャビネット４、受信部Ｔ、電源基板（回路基板）Ｐ、駆動基板（回路基板）Ｄ及びスタンドＳを含む。表示部２は、液晶パネルモジュールであり、液晶パネル及びバックライトを含む。液晶パネルは表示面２１を有し、当該表示面２１に映像を表示する。バックライトは、液晶パネルの後方から光を照射する。表示部２は、前側のフロントキャビネット３により前側周縁部及び外周面が取り囲まれている。
【００２７】
フロントキャビネット３は、横長矩形状の開口３１ａを有し、表示部２の表示面２１は開口３１ａから露出している。テレビ受信装置１の後側のバックキャビネット４は、平板状をなし、表示部２及び一部のフロントキャビネット３をテレビ受信装置１の後側から覆っている。
受信部Ｔ、電源基板Ｐ及び駆動基板Ｄは、表示部２及びバックキャビネット４の間に位置し、例えばねじ止めで表示部２に固定されている。スタンドＳは、表示部２、フロントキャビネット３、バックキャビネット４、受信部Ｔ、電源基板Ｐ及び駆動基板Ｄを起立状態で支持している。
【００２８】
図２は、組み立てられた表示部２及びフロントキャビネット３の一例をテレビ受信装置１の後側から示す平面図である。図２は、バックキャビネット４及びスタンドＳを除去したテレビ受信装置１を後側から見た状態を示している。表示部２の後側には、上下方向に伸びた２本の支柱板２２、２３が、例えばねじにより固定されている。
支柱板２２、２３には、ねじを螺入するためのブラケット２２ａ、２２ｂ、２３ａ、２３ｂが夫々設けられている。テレビ受信装置１を例えば部屋の壁に固定する場合、支柱板２２、２３及びブラケット２２ａ、２２ｂ、２３ａ、２３ｂは利用される。
【００２９】
受信部Ｔは、テレビ放送に関する映像信号を受信する。電源基板Ｐは、テレビ受信装置１の各構成部に電力を供給する。駆動基板Ｄは、例えば、パネル駆動基板及びバックライト駆動基板を含む。パネル駆動基板は、受信部Ｔが受信したテレビ放送に関する映像信号に所定の信号処理を施し、液晶パネルに信号処理後の映像信号を出力する。バックライト駆動基板は、バックライトを駆動する。
なお、電源基板Ｐ及び駆動基板Ｄの近傍に引火物が存在する場合、電源基板Ｐ及び駆動基板Ｄへの高電圧印加により生じる高熱のため、引火物から出火する可能性はゼロではない。電源基板Ｐ及び駆動基板Ｄは、テレビ受信装置１に含まれる発熱体の一例である。
【００３０】
図３は、バックキャビネット４の一例をテレビ受信装置１の後側から見た平面図である。
図４は、バックキャビネット４の一例を示す概略斜視図である。図４は、バックキャビネット４をテレビ受信装置１の前側左斜め上から示している。
【００３１】
バックキャビネット４は、略矩形かつ略平板であり、例えば合成樹脂からなる。バックキャビネット４の外周縁部には、複数のねじ穴が設けられており、バックキャビネット４は表示部２又はフロントキャビネット３とねじにより固定される。
バックキャビネット４は２つの部材からなり、図３及び図４は２つの部材を用いて組み立てられたバックキャビネット４の状態を示している。
【００３２】
図５は、バックキャビネット４の分割部材の一例をテレビ受信装置１の後側から見た平面図である。バックキャビネット４は、バックキャビネット本体４１及びカバー（蓋体）４２を含む。図５Ａは、バックキャビネット本体４１をテレビ受信装置１の後側から見た平面図である。図５Ｂは、カバー４２をテレビ受信装置１の後側から見た平面図である。カバー４２上側の一長辺端面には、板状突部（位置決め突部）４２ｃ、４２ｄが上方に突設されている。
バックキャビネット本体４１及びカバー４２の表側が正面である。バックキャビネット本体４１及びカバー４２の表側は、テレビ受信装置１の後側であり、バックキャビネット本体４１及びカバー４２の裏側は、テレビ受信装置１の前側である。
図６は、バックキャビネット本体４１の一例を示す概略斜視図である。図６は、バックキャビネット本体４１をテレビ受信装置１の後側左斜め下から示している。
【００３３】
バックキャビネット本体４１は、中央上部に開口部４１ａが設けられている。開口部４１ａが設けられている領域は、バックキャビネット４を表示部２又はフロントキャビネット３に固定した場合、例えば受信部Ｔ、電源基板Ｐ及び駆動基板Ｄと対向しない領域である。開口部４１ａは、横長の矩形状をなす。
図６に示すように開口部４１ａの周縁部表側面は、外側周囲のバックキャビネット本体４１に対してテレビ受信装置１の前側（裏側）に落ち込んでおり、開口部４１ａの周縁部表側面は、段差を有する棚４１ｍである。
【００３４】
図７は、カバー４２の一例をテレビ受信装置１の後側から見た平面図である。
図８は、カバー４２の一例をテレビ受信装置１の前側から見た平面図である。
図９及び図１０は、カバー４２の一例を示す概略斜視図である。図９は、カバー４２をテレビ受信装置１の後側左斜め下から示している。図１０は、カバー４２をテレビ受信装置１の前側左斜め下から示している。
【００３５】
カバー４２は、バックキャビネット本体４１の開口部４１ａを覆う別パーツであり、開口部４１ａと略同一の矩形状をなす平板状部材である。カバー４２の厚みは、図６に示す開口部４１ａの周縁部の段差と略同一である。また、カバー４２の大きさは、開口部４１ａの大きさよりもわずかに小さい。
そのため、カバー４２をバックキャビネット本体４１に取り付けた場合、バックキャビネット本体４１及びカバー４２の表側面（テレビ受信装置１の後側面）は、同一平面をなす。また、カバー４２をバックキャビネット本体４１に取り付けた場合、バックキャビネット本体４１の開口部４１ａの周縁部における棚４１ｍの外縁とカバー４２の周との間には、わずかな幅を有する溝４３が形成される（図３参照）。
なお、カバー４２の厚みは、バックキャビネット本体４１の厚みより薄くしてもよい。
【００３６】
カバー４２は、後述する爪により、バックキャビネット本体４１に対して仮止め又は固定される。更に、カバー４２は、ねじによってもバックキャビネット本体４１に対して固定される。そのため、カバー４２の周縁部には、カバー４２の周に沿ってねじ止め用のねじ通し孔４２ａが例えば８つ形成されている。
【００３７】
ねじ通し孔４２ａと対向するバックキャビネット本体４１の開口部４１ａの周縁部には、周縁部から開口部４１ａ内側へ向かって板状の突部４１ｂが突設されている（図５Ａ、図６参照）。突部４１ｂの裏側面（テレビ受信装置１の前側面）には、ねじ通し孔４２ａを挿通したねじが螺合するためのボス（図示せず）が裏側（テレビ受信装置１の前側）に立設されている。開口部４１ａの角部に設けられた突部４１ｂは矩形状をなし、開口部４１ａの長辺部に設けられた突部４１ｂは半円形状をなす。
【００３８】
カバー４２の中段には、４つのねじ通し孔４２ｂがカバー４２の周と略相似形かつ略平行な矩形の各頂点をなすように配設されている。下側の２つのねじ通し孔４２ｂは、カバー４２の表側面から突設された直方体状の突部の略中央に設けられている。ねじ通し孔４２ｂは、表示部２に固定された支柱板２２、２３のブラケット２２ａ、２２ｂ、２３ａ、２３ｂにねじを螺入するために設けられた貫通穴である。
【００３９】
ところで、製品機器の安全性規格の一つである樹脂材料の難燃性に関し、例えばＵＬ９４規格は難燃性の高いものから順に、５ＶＡ、５ＶＢ、Ｖ−０、Ｖ−１、Ｖ−２及びＨＢの等級を定義している。発火源もしくは発火の恐れがある製品機器の部分は、例えばＵＬ９４規格の難燃性Ｖ−１以上のエンクロージャ部品で覆うことが求められている。
【００４０】
ＵＬ９４規格において、エンクロージャは、防火的、機構的、電気的に筺体内と外部とを分離するものである。以下の内容を全て満足した場合、ＵＬ９４規格におけるエンクロージャとして認定される。
防火エンクロージャとは、機器の一部で、火炎の広がりを最小限に防ぐものである。
機構的エンクロージャとは、機器の一部で、機械的あるいは他の物理的な危険を防ぐものである。規定されたクリップ等の物が製品機器内に入らないことが条件の１つである。
電気的エンクロージャとは、機器の任意の一部で、危険な電圧、電流との接触を防ぐものである。
【００４１】
バックキャビネット４は、テレビ受信装置１の防火、構造的及び電気的エンクロージャでもある。そこで、受信部Ｔ、電源基板Ｐ及び駆動基板Ｄと対向する領域を有するバックキャビネット本体４１と、受信部Ｔ、電源基板Ｐ及び駆動基板Ｄと対向しない領域に対応するカバー４２とは、夫々難燃性が異なる合成樹脂により構成されている。具体的には、バックキャビネット本体４１はＶ−１以上の合成樹脂から構成され、カバー４２はＨＢ以下の合成樹脂から構成されている。
【００４２】
バックキャビネット本体４１からカバー４２を取り外した状態で、バックキャビネット本体４１等がエンクロージャとして機能する場合、カバー４２は、エンクロージャの周辺に配置されるため、エンクロージャに関するＵＬ９４規格の制限を受けない。従って、カバー４２の材料については、難燃材としての等級を下げることができる。
【００４３】
テレビ受信装置は大型化傾向にある。テレビ受信装置１が大型又は超大型である場合、バックキャビネット本体４１にカバー４２を一人の作業者のみで取り付けることは容易ではない。そのため、バックキャビネット本体４１及びカバー４２は、組み立て作業を容易にするための構造を備えている。
例えば、バックキャビネット本体４１を表側が上になるように水平面に載置し、バックキャビネット本体４１の上からカバー４２を開口部４１ａ付近に置くとする。このとき、カバー４２の置かれた位置が開口部４１ａからずれた場合、後述する係止爪４２ｅ等がバックキャビネット本体４１の表側面を擦動しながら正規の位置に移動したとき、係止爪４２ｅ等はバックキャビネット本体４１の表面を傷つける恐れがある。そこで、カバー４２を開口部４１ａの所定位置に案内するために、板状突部（位置決め突部）４２ｃ、４２ｄ並びに突部４１ｂ及び後述する案内突部４１ｆが夫々カバー４２とバックキャビネット本体４１とに設けられている。
【００４４】
カバー４２上側の一長辺端面には、板状突部４２ｃ、４２ｄが上方に突設されている。カバー４２をバックキャビネット本体４１に取り付ける際、板状突部４２ｃ、４２ｄを、後述するバックキャビネット本体４１に設けた開口に挿入することで、カバー４２の一長辺は開口部４１ａの一長辺と容易に揃えられる。また同時に、カバー４２の両短辺は開口部４１ａの両短辺と容易に揃えられる。板状突部４２ｃは、カバー４２上側の一長辺端面の中央に突設されている。板状突部４２ｄは、２つあり、カバー４２上側の一長辺端面の左角部及び右角部から夫々やや中央よりの側端付近に、１つずつ突設されている。
【００４５】
図１１は、板状突部４２ｃ、４２ｄの一例をテレビ受信装置１の後側から見た平面図である。図１１Ａは、カバー４２上側の一長辺端面の中央に設けられた板状突部４２ｃの平面図である。図１１Ｂは、カバー４２上側の一長辺端面の側端付近に設けられた板状突部４２ｄの平面図である。図１１では、板状突部４２ｃ、４２ｄが設けられたカバー４２は、長辺の一部を除き、省略されている。
図１２は、板状突部４２ｃの一例を示す斜視図である。図１２は、板状突部４２ｃをテレビ受信装置１の後側左斜め下から示している。
【００４６】
板状突部４２ｃ、４２ｄは、平板状をなし、平面視では矩形の隣接する角部を切り取った形状をなす。板状突部４２ｃ、４２ｄは、切り取られた角部が先端側に配置するようにカバー４２上側の一長辺端面から突設されている。板状突部４２ｃは、板状突部４２ｄより大きい。そのため、板状突部４２ｃにおけるカバー４２の長手方向と略平行な幅及びカバー４２の短手方向と略平行な長さは、共に板状突部４２ｄにおける幅及び長さより長い。板状突部４２ｃ、４２ｄの表側面（テレビ受信装置１の後側面）の基部には、幅方向に１本のリブ４２１ｃ、４２１ｄが設けられている。板状突部４２ｃ、４２ｄをバックキャビネット本体４１の開口に挿入し、カバー４２をバックキャビネット本体４１に取り付けた場合、リブ４２１ｃ、４２１ｄは開口からテレビ受信装置１内部に異物が混入するのを防止する機能を有す。
なお、板状突部４２ｃ、４２ｄの先端は丸みを帯びていてもよい。
【００４７】
図１３は、バックキャビネット本体４１の裏側面における開口部４１ａ縁付近の部分拡大図である。図１３は、開口部４１ａ上側の長辺中央付近をテレビ受信装置１の前側左斜め上から示している。図１３は、カバー４２がバックキャビネット本体４１に取り付けられた状態を示している。
板状突部４２ｃの裏側面（テレビ受信装置１の前側面）の中央には、カバー４２の短手方向と略平行なリブ４２２ｃが設けられている。リブ４２２ｃは、板状突部４２ｃの強度を適正に保つ機能を有す。
なお、板状突部４２ｄにも、リブ４２２ｃと同様のリブ４２２ｄが設けられている（図８及び図１０参照）。
【００４８】
図１４は、組み立てられたバックキャビネット本体４１及びカバー４２における開口部４１ａの周縁部分の一例を示す概略斜視図である。図１４は、バックキャビネット本体４１の開口部４１ａ及びカバー４２の周縁部分をテレビ受信装置１の前側左斜め上から見た概略斜視図である。
バックキャビネット本体４１の裏側面（テレビ受信装置１の前側面）からは、開口部４１ａの周縁部に内筒４１ｃ及び外筒４１ｄがテレビ受信装置１の前側に立設されている（図１３及び図１４参照）。内筒４１ｃ及び外筒４１ｄは概ね平行である。内筒４１ｃ及び外筒４１ｄが立設されているバックキャビネット本体４１の裏側面と反対側の表側面の領域は、開口部４１ａ周縁の棚４１ｍに対応する（図６参照）。
【００４９】
内筒４１ｃは、開口部４１ａの周を縁取るように周設されている。内筒４１ｃの開口面の概略形状は開口部４１ａと同様の矩形状である。外筒４１ｄの内周面からは、ねじ止めのためのボスを立設するための矩形状又は半円状の突部４１ｂが突設されており、突部４１ｂの部分では、内筒４１ｃは外筒４１ｄから隔たり、開口部４１ａの内側に張り出している。
【００５０】
外筒４１ｄは、内筒４１ｃを包囲して内筒４１ｃの外側に設けられている。外筒４１ｄの周壁の高さは、内筒４１ｃの周壁の高さより高い。外筒４１ｄは、カバー４２に対するエンクロージャの機能を有する。
表示部２の支柱板２２、２３と対向する外筒４１dの周壁部分には、テレビ受信装置１
の後側に出っ張った支柱板２２、２３を収容する切り込み（図示せず）が形成されている。
【００５１】
図１５は、バックキャビネット本体４１の表側面における開口部４１ａ縁付近の部分拡大図である。図１５は、開口部４１ａ上側の長辺中央付近をテレビ受信装置１の後側左斜め下から示している。
図１６は、カバー４２をバックキャビネット本体４１に取り付ける途中の状態を示す説明図である。図１６は、開口部４１ａ上側の長辺中央付近をテレビ受信装置１の後側左斜め下から示している。
【００５２】
カバー４２をバックキャビネット本体４１に取り付ける場合、板状突部４２ｃ、４２ｄが対向する外筒４１ｄの位置には、開口４１ｅが開設されている。開口４１ｅは、横長の矩形状をなす。板状突部４２ｃが対向する開口４１ｅの長辺は、板状突部４２ｃの幅より長く、板状突部４２ｃが対向する開口４１ｅの短辺は、板状突部４２ｃの肉厚より長い。そのため、板状突部４２ｃは、開口４１ｅ内を遊挿可能である。同様に、板状突部４２ｄも対向する開口４１ｅ内を遊挿可能に構成されている。
【００５３】
外筒４１ｄの上側の一周壁の中央には、板状突部４２ｃを受け付け、受け付けた板状突部４２ｃを開口４１ｅに案内する案内突部４１ｆが突設されている。そのため、内筒４１ｃは突部４１ｂの部分で開口部４１ａの内側に張り出しているように、内筒４１ｃは案内突部４１ｆの部分でも開口部４１ａの内側に張り出している。
【００５４】
案内突部４１ｆにおけるテレビ受信装置１の後側面には、案内突部４１ｆの先端部から外筒４１ｄに向かってテレビ受信装置１の前側にくぼんだ窪み４１１ｆが形成されている。窪み４１１ｆの外側内壁は外筒４１ｄの周壁からなり、窪み４１１ｆの外側内壁の略中央に開口４１ｅが開設されている。窪み４１１ｆの底面は、平面状をなし、案内突部４１ｆの先端部から外筒４１ｄに向かって一様に傾斜している。そして、窪み４１１ｆの底面側端部は、開口４１ｅから内側に向かって広がっている。あるいは、窪み４１１ｆの底面側端部は、内側から開口４１ｅへ向かって狭くなっている。すなわち、窪み４１１ｆの底面は、板状突部４２ｃを開口４１ｅに案内するために、開口４１ｅに向かって収斂している。窪み４１１ｆの底面は、平面視では上底が下底より短い台形状をなし、上底が外筒４１ｄに開設された開口４１ｅにおけるテレビ受信装置１の前側端に一致する。上記窪み４１１ｆの概略形状は、ちりとりに似ている。
【００５５】
板状突部４２ｃに対応して案内突部４１ｆがバックキャビネット本体４１に設けられているように、板状突部４２ｄに対応する突部４１ｂがバックキャビネット本体４１における開口部４１ａの上側両角部に設けられている（図５Ａ及び図６参照）。突部４１ｂは、案内突部４１ｆと同じ形状をなし、同じ機能を有する。
なお、板状突部４２ｄに対応する突部４１ｂは、カバー４２をバックキャビネット本体４１に固定するために、ボス（図示せず）を立設するための突部４１ｂでもある（図５Ａ及び図６参照）。
【００５６】
図１３に示すように、バックキャビネット本体４１の外筒４１ｄに設けられた中央の開口４１ｅから少し外側に２つの位置決めリブ４１ｇがテレビ受信装置１の前側に立設されている。位置決めリブ４１ｇは、板状突部４２ｃが開口４１ｅに挿入される場合、カバー４２をバックキャビネット本体４１に対して左右方向に位置決めする機能を有す。
【００５７】
図８及び図１０に示すように、係止爪４２ｅはカバー４２裏側面（テレビ受信装置１の前側面）の周縁部に周設されている。係止爪４２ｅは、例えばカバー４２の短辺に沿って４個ずつ、カバー４２の上側長辺に沿って１０個、カバー４２の下側長辺に沿って１４個、合計３２個設けられている。係止爪４２ｅの先端部は、カバー４２の外側を向いている。そのため、対向するカバー４２の長辺に沿って設けられ、対向し合う係止爪４２の先端部は、反対向きである。同様に、対向するカバー４２の短辺に沿って設けられ、対向し合う係止爪４２の先端部は、反対向きである。
【００５８】
図１７は、係止爪４２eの一例を示す説明図である。図１７Ａ及び図１７Ｂは、先端部
４２２ｅ側の右斜め上から見た係止爪４２ｅの斜視図である。図１７Ｃは、先端部４２２ｅと反対側の左斜め上から見た係止爪４２ｅの斜視図である。
図１８は、係止爪４２ｅの一例を示す断面図である。図１８は、例えばカバー４２ｅの長辺に沿って設けられた係止爪４２ｅを、カバー４２ｅの法線及び短辺に平行な切断面で切断した場合の断面図である。
【００５９】
係止爪４２ｅは、屈曲板部（基部）４２１ｅ、先端部４２２ｅ及び補強リブ４２３ｅを含む。
例えばカバー４２ｅの長辺に沿って設けられた係止爪４２ｅの屈曲板部４２１ｅは、カバー４２の短辺方向から見た場合、矩形状をなし、カバー４２の長辺方向から見た場合、カバー４２の外側に屈曲した段部を有するクランク形状をなす。屈曲板部４２１ｅの屈曲部より上の内部には、例えば２つの正方形状のスリット４２４ｅが開設されている。なお、スリット４２４ｅの形状は、正方形状に限らず、例えば矩形状でもよい。屈曲板部４２１ｅは、カバー４２裏側面の周縁部に周に沿って形成されている。その形成位置は、カバー４２をバックキャビネット本体４１に取り付けた場合、バックキャビネット本体４１の内筒４１ｃに対応する位置である。屈曲板部４２１ｅの先端面には、先端部４２２ｅが形成されている。
【００６０】
先端部４２２ｅは、カバー４２の周方向に伸びた三角柱状の爪をなす。先端部４２２ｅは、該三角柱の一側面が屈曲板部４２１ｅの先端面に接合するように形成されている。
補強リブ４２３ｅは、カバー４２の周方向からの平面視では台形状をなし、屈曲板部４２１ｅの基部の内側面とカバー４２裏側面とがなす角部に形成されている。カバー４２裏側面からの補強リブ４２３ｅの高さは、例えばカバー４２裏側面からの屈曲板部４２１ｅの屈曲部までの高さに等しい。
係止爪４２ｅは、例えば等間隔に配置された３つの補強リブ４２３ｅを有し、補強リブ
４２３ｅの間に対応する位置に、２つのスリット４２４ｅを有する。
【００６１】
カバー４２の板状突部４２ｃ、４２ｄを開口４１ｅに挿入し、カバー４２をバックキャビネット本体４１に対して位置合わせをする。その後、カバー４２をバックキャビネット本体４１にねじ止めする前に、カバー４２に設けた係止爪４２ｅでカバー４２をバックキ
ャビネット本体４１に固定又は仮固定する。
【００６２】
図１９は、カバー４２の係止爪４２ｅがバックキャビネット本体４１を係止する様子を示した説明図である。カバー４２をバックキャビネット本体４１に取り付ける場合、外側向きの爪がバックキャビネット本体４１の開口部４１ａの周部に設けられた内筒４１ｃの周壁端面に係止するように、カバー４２の表側面（テレビ受信装置１の後側面）を押圧する。
カバー４２の表側面を押圧することにより、先端部４２２ｅは内筒４１ｃを含む開口部４１ａの周部を押圧する（図１９Ａ）。押圧された開口部４１ａの周部はテレビ受信装置１の前側かつ外側にたわむと共に、係止爪４２ｅも内側に弾性変形をする（図１９Ｂ）。先端部４２２ｅが内筒４１ｃの周壁端面よりも更にテレビ受信装置１の前側に移動した場合、先端部４２２ｅの爪が内筒４１ｃの周壁端面を係止し、カバー４２はバックキャビネット本体４１に固定される（図１９Ｃ）。
【００６３】
図２０は、係止爪４２ｅに対応するカバー４２表側面の一部を示す説明図である。図２０Ａは、係止爪４２ｅに対応するカバー４２表側面の一部の説明図である。図２０Ｂは、図２０Ａに係止爪４２ｅを鎖線で加えた説明図である。カバー４２表側面には、係止爪４２ｅと対応する位置より少し外側に△の印４２ｆが形成されている。
カバー４２の表側からは係止爪４２ｅは見えない。しかし、作業者は△の印４２ｆの位置を目安に係止爪４２ｅに対応するカバー４２の表側面部分を押すことにより、係止爪４２ｅをバックキャビネット本体４１に係止することができる。
【００６４】
図２１は、係止爪４２ｅが当接する開口部４１ａの周部の部分拡大図である。図２１は、開口部４１ａ周部をテレビ受信装置１の後側左斜め下から示している。
係止爪４２ｅが当接する開口部４１ａの周部には、係止爪４２ｅが当接する部分の両脇に夫々１つずつ、合計２つの切り欠き４１ｈが設けられている。係止爪４２ｅを内筒４１ｃの周壁端面に係止するためには、開口部４１ａの内周部が弾性変形する必要がある。開口部４１ａの周部における弾性変形の程度が小さい場合、バックキャビネット本体４１に対するカバー４２の固定は困難になる。場合によっては、開口部４１ａの周部における弾性変形の分も係止爪４２ｅが担うことになり、係止爪４２ｅが破損する恐れもある。切り欠き４１ｈは、開口部４１ａの周部がたわみやすくする機能を有する。これにより、過度な負荷を係止爪４２ｅにかけることなく、カバー４２をバックキャビネット本体４１に取り付けることができる。
【００６５】
次に、バックキャビネット４の組み立て方法について説明する。
図２２は、バックキャビネット４の組み立て途中の状態を示す説明図である。バックキャビネット本体４１を表側が上になるように水平面に載置する。板状突部４２ｃ、４２ｄが先になるように、カバー４２の表側が上になるように、かつカバー４２が略水平になるようにカバー４２を両手で把持する。板状突部４２ｃ、４２ｄが夫々バックキャビネット本体４１の案内突部４１ｆ、突部４１ｂと対向する位置にカバー４２を移動する。このとき、カバー４２の長辺と開口部４１ａの長辺とは略平行であり、カバー４２の短辺と開口部４１ａの短辺とも略平行である。
【００６６】
板状突部４２ｃ、４２ｄが設けられたカバー４２の一長辺を軸にして、カバー４２の他長辺側（カバー４２の手前側長辺）を持ち上げ、カバー４２をバックキャビネット本体４１の表側面（水平面）に対して、傾斜させる。このときの傾斜角は、バックキャビネット本体４１の案内突部４１ｆ及び突部４１ｂに設けられた窪み４１１ｆの底面の傾斜角に近いことが好ましい。ゆっくりと、板状突部４２ｃ、４２ｄを外筒４１ｄに設けられた開口４１ｅ、すなわち窪み４１１ｆ奥の開口４１ｅに挿入する。
【００６７】
その際、中央の板状突部４２ｃは両脇の板状突部４２ｄより長いため、先に中央の板状突部４２ｃが案内突部４１ｆの窪み４１１ｆに入り、その後両脇の板状突部４２ｄが突部４１ｂの窪み４１１ｆに入る。そして、先に中央の板状突部４２ｃが開口４１ｅに挿入され、その後に両脇の板状突部４２ｄが開口４１ｅに挿入される。従って、作業者は３つの板状突部４２ｃ、４２ｄを同時に開口４１ｅに挿入するという難しい作業をしないで済ませることができる。また、中央の板状突部４２ｃが挿入される開口４１ｅの奥には、左右方向の位置決めをする位置決めリブ４１ｇが設けられているため、板状突部４２ｃは２つの位置決めリブ４１ｇにより案内される。これにより、開口部４１ｅの長辺方向（左右方向）及び短辺方向に対するカバー４２の位置決めはほぼ完了する。
【００６８】
板状突部４２ｃ、４２ｄが設けられたカバー４２の一長辺を軸にして、ゆっくりとカバー４２の他長辺側を下方に回転し、カバー４２の傾斜角を徐々に小さくする。カバー４２の係止爪４２ｅは、開口部４１ａの周部に当接する。カバー４２の表側面に設けられた印４２ｆを目安にして、カバー４２の表側面を押圧する。カバー４２の周縁に沿って押圧箇所を移動させ、全ての係止爪４２ｅの爪を内筒４１ｃの周壁端面に係止し、カバー４２をバックキャビネット本体４１に固定する。このとき、バックキャビネット本体４１に対してカバー４２を正確に位置決めする構造が、バックキャビネット４には設けられている。
【００６９】
図２３及び図２４は、バックキャビネット４の組み立て途中の状態を示す説明図である。図２３及び図２４は、バックキャビネット本体４１にカバー４２を取り付ける様子の説明図である。図２３は、バックキャビネット４の右側上部を拡大して示している。図２４は、バックキャビネット４の左側上部を拡大して示している。
開口部４１ａにおける左右の短辺端面の中央には、矩形状の突起４１ｉが１つずつ突設されている。なお、開口部４１ａの周面は、内筒４１ｃの内周面に等しい。一方、カバー４２をバックキャビネット本体４１に取り付けるために、突起４１ｉと対向するカバー４２裏側面の左右の短辺縁部中央には、２つのガイドリブ４２ｇが設けられている。２つのガイドリブ４２ｇは、突起４１ｉを遊嵌可能な程度に離反して設けられている。
カバー４２の短辺を開口部４１ａの短辺に合わせてカバー４２の表側面を押圧する場合、左右に２つずつ設けられたガイドリブ４２ｇが突起４１ｉを案内するため、カバー４２は短辺方向に関して位置決めされる。
【００７０】
図２５は、テレビ受信装置１の前側から見たバックキャビネット本体４１における開口部４１ａの周縁部及びカバー４２周縁部を示す説明図である。図２５は、カバー４２が取り付けられたバックキャビネット本体４１における開口部４１ａの下部付近を拡大して示している。カバー４２裏側面の周縁部には、位置決めリブ４２ｈが設けられている。カバー４２の下部長辺に対応する箇所には、例えば１０個の位置決めリブ４２ｈがほぼ等間隔で設けられている。位置決めリブ４２ｈは、バックキャビネット本体４１の内筒４１ｃの内周面近傍に設けられている。
同様の位置決めリブ４２ｈが、カバー４２の上部長辺に対応する箇所に、例えば１１個設けられている。
カバー４２の長辺を開口部４１ａの長辺に合わせてカバー４２の表側面を押圧する場合、位置決めリブ４２ｈがバックキャビネット本体４１の内筒４１ｃを案内するため、カバー４２は短辺方向に関して位置決めされる。
【００７１】
図２５には、係止爪４２ｅも描かれている。係止爪４２ｅは、開口部４１ａの周縁部におけるバックキャビネット本体４１の裏側面に設けられた内筒４１ｃの周壁端に係止されている。係止爪４２ｅは、カバー４２をバックキャビネット本体４１に固定する機能を有する。
【００７２】
図２６は、組み立てられた状態のバックキャビネット本体４１及びカバー４２の概略断面図である。図２６は、開口部４１ａの下部長辺付近をカバー４２の法線及びカバー４２の短辺に略平行な切断面で切断した断面図である。図２６の例では、位置決めリブ４２ｈが内筒４１ｃの基部に当接することにより、カバー４２が下へ移動しないように規制している。
なお、位置決めリブ４２ｈは、カバー４２の左右短辺に対応する箇所に設けられてもよい。かかる場合、カバー４２は長辺方向（左右方向）に関して位置決めされる。
【００７３】
図２７は、開口部４１ａの下側の周縁部を示す説明図である。図２７は、組み立てられ
た状態のバックキャビネット本体４１及びカバー４２に関して、開口部４１ａの下側長辺中央付近を前方左斜め上から見た斜視図であり、部分的に拡大してある。
開口部４１ａにおける下側長辺の中央には、内筒４１ｃの周面から矩形状の突起４１ｊが突設されている。一方、カバー４２をバックキャビネット本体４１に取り付けた場合、突起４１ｊと対向するカバー４２裏側面の下側長辺中央付近には、２つのガイドリブ４２ｉが設けられている。２つのガイドリブ４２ｉは、突起４１ｊを遊嵌可能な程度に離反して設けられている。なお、図２７では、ガイドリブ４２ｉ以外のカバー４２は、省略されている。また、開口部４１ａの周縁部以外のバックキャビネット本体４１は、省略されている。
【００７４】
カバー４２の長辺を開口部４１ａの長辺に合わせてカバー４２の表側面を押圧する場合、カバー４２の下側長辺中央付近に設けたガイドリブ４２ｉが突起４１ｊを案内する。カバー４２は、バックキャビネット本体４１に対して、カバー４２の法線方向を回転軸とした回転により位置ずれを起こす可能性がある。しかし、カバー４２は、バックキャビネット本体４１の開口４２ｅに挿入された板状突部４２ｃ、４２ｄにより、カバー４２の法線方向を回転軸とした回転方向のずれが規制されている。そして、更にカバー４２は、突起４１ｊ及びガイドリブ４２ｉにより、カバー４２の法線方向を回転軸とした回転方向のずれが規制される。従って、突起４１ｊ及びガイドリブ４２ｉは、カバー４２の法線方向を回転軸とした回転方向におけるカバー４２の位置決めに資する。
【００７５】
バックキャビネット本体４１に対するカバー４２の位置決めが終了した場合、ねじ通し孔４２ａからねじを挿入する。そして、挿入したねじをバックキャビネット本体４１の突部４１ｂに設けられたボスのねじ穴に螺入し、カバー４２をバックキャビネット本体４１に固定する。
【００７６】
テレビ受信装置１によれば、筐体を分割しつつ、安全性を担保することができる。
大型の薄型表示装置に使用されるキャビネットを、合成樹脂で成形する場合、投影面積が増大するほど必要型締め力が大きくなるため、より大型の成形機が必要となる。しかし、より大型の成形機を用意できない場合がある。また、より大型の成形機の使用にかかる費用のためにコストが上昇する。しかし、キャビネットを分割した場合、従来の成形機でもキャビネットの成形が可能となる。
一方で、電気製品には、燃焼性に関する安全性が求められる。そのため、キャビネットの材料には、例えばＶ−１等級の難燃性材料が使用される。しかし、難燃性材料の価格は難燃性等級が高いほど高価である。そこで、エンクロージャを形成する部材により隔てられた部分の部材には、低難燃性材料を使用する。
具体的には、キャビネットを、高電圧が印加される回路基板部分を覆うキャビネット部分とそうでないキャビネット部分とに分割する。後者をキャビネットの別ピースとする場合、エンクロージャである前者により隔てられた別ピースには難燃性の低い材料を使用することができる。これにより、コストの低減を図ることができると共に、火災防護の安全性が担保される。
エンクロージャには、火災防止の他に、機械的危険の防止、感電の防止、電磁的干渉の防止、防塵、防水、気密、断熱、防爆等の機能がある。そこで、分割したキャビネット部分毎に、これらのエンクロージャの機能に関して異なる性質を有する材料が用いられてもよい。
【００７７】
テレビ受信装置１では、バックキャビネット４はキャビネット本体４１及びカバー４２の２ピースに分割される。バックキャビネット本体４１には、電源基板Ｐ、駆動基板Ｄ等と対向しない領域に開口部４１ａが設けられている。開口部ａを覆うカバー４２に難燃性の低い材料を使用して成形しても、バックキャビネット本体４１を難燃性の高い材料で成形する限り、火災防災の安全性は担保される。
なお、バックキャビネット本体４１は、電源基板Ｐ、駆動基板Ｄ等と対向する領域に開口部４１ａを有していてもよい。かかる場合、開口部ａを覆うカバー４２には、難燃性の高い材料又は電気伝導性の低い材料を使用する。一方、バックキャビネット本体４１には、難燃性の低い材料又は電気伝導性が低くない材料を使用する。これによっても、コスト削減及び火災防止又は感電防止の安全性が実現される。
【００７８】
カバー４２には板状突部４２ｃ、４２ｄが設けられており、バックキャビネット本体４１には開口部４１ａの一長辺に沿って案内突部４１ｆ、突部４１ｂ及び開口４１ｅが設けられている。これにより、バックキャビネット４を組み立てる場合、板状突部４２ｃ、４２ｄを夫々案内突部４１ｆ、突部４１ｂに沿って開口４１ｅに挿入することで、バックキャビネット本体４１に対するカバー４２の位置合わせをほぼ完了することができる。
【００７９】
板状突部４２ｃ、４２ｄのテレビ受信装置１の後側面には、リブ４２１ｃ、４２１ｄが設けられている。リブ４２１ｃ、４２１ｄは、外筒４１ｄに設けられた矩形状の開口４１ｅの長辺方向又は開口部４１ａの長辺方向と略平行に設けられている。
図２８は、バックキャビネット４を組み立てた状態における板状突部４２ｃ及び案内突部４１ｆの断面図である。図２８は、板状突部４２ｃ及び案内突部４１ｆをカバー４２の法線及びカバー４２の短辺に略平行な切断面で切断した断面図である。図２８Ａは、通常状態の板状突部４２ｃ及び案内突部４１ｆを示している。図２８Ｂは、異物を開口４１ｅからテレビ受信装置１内に押し込むために、板状突部４２ｃを変形させた状態の板状突部４２ｃ及び案内突部４１ｆを示している。
開口４１ｅから例えばクリップ等の異物を挿入しようとしても、リブ４２１ｃは異物挿入を阻止することができる。板状突部４２ｃがテレビ受信装置１の前側に押されても、リブ４２１ｃは板状突部４２ｃに追従する。異物を板状突部４２ｃの表面に沿って開口４１ｅからテレビ受信装置１内に入れようとしても、リブ４２１ｃは異物を阻止する。リブ４２１ｃと同様に、リブ４２１ｄも異物挿入を阻止する機能を有する。
【００８０】
外筒４１ｄはバックキャビネット本体４１のエンクロージャの一部であるが、開口４１ｅのみは、テレビ受信装置１内部と外部とをつなぐ通路とも言える。そのため、リブ４２１ｃ、４２１ｄはエンクロージャとしての機能も有す。
なお、バックキャビネット４を組み立てた後、板状突部４２ｃ、４２ｄが押されても容易に変形しない構造をバックキャビネット４は備えていてもよい。例えば、板状突部４２ｃ、４２ｄが開口４１ｅから挿入された場合、板状突部４２ｃ、４２ｄの先端部を係止する爪をバックキャビネット本体４１の裏側面（テレビ受信装置１の前側面）に設けてもよい。
【００８１】
カバー４２は、係止爪４２ｅが開口部４１ａの周面を構成する内筒４１ｃの周壁端に係止することにより、バックキャビネット本体４１に容易に固定される。係止爪４２ｅによる係止力だけで十分である場合、カバー４２のねじ通し孔４２ａ及びバックキャビネット本体４１のボスはなくてもよい。
あるいは、カバー４２は、ねじのみでバックキャビネット本体４１に固定されてもよい。かかる場合、係止爪４２ｅはなくてもよい。
【００８２】
係止爪４２ｅは、カバー４２から突出した突出部であり、過度な負荷により破損する危険性が考えられる。他方、係止爪４２ｅは、カバー４２をバックキャビネット本体４１に取り付ける場合、適度の弾性変形が必要となる。そのため、係止爪４２ｅの強度を調整する必要があるが、上記の補強リブ４２３ｅの個数若しくは厚み、矩形状スリット４２４ｅの形状若しくは大きさ又は屈曲板部４２１ｅの厚みを変更することにより、係止爪４２ｅの強度を調整することができる。
係止爪４２ｅの強度を強くするため、例えば屈曲板部４２１ｅの基部の厚みを厚くした場合、屈曲板部４２１ｅの基部とカバー４２裏側面とがなす角部に、ヒケの生じることが懸念される。しかし、屈曲板部４２１ｅの基部の厚みをヒケが生じない程度に抑えた場合でも、補強リブ４２３ｅ又は矩形状スリット４２４ｅの属性を変更することにより、係止爪４２ｅの強度を調整することができる。
【００８３】
開口部４１ａは、バックキャビネット本体４１の上部中央に設けられている。しかし、開口部４１ａは、発熱基板の位置を勘案の上、バックキャビネット本体４１の他の領域に設けられてもよい。例えば、開口部４１ａは、バックキャビネット本体４１の内部ではなく、バックキャビネット本体４１の端を含んでくり抜かれてもよい。かかる場合、そのくり抜かれた部分はもはや開口ではなく、切り欠きになる。そして、カバー４２は切欠きの形状に合わせて、その形状が決定される。
【００８４】
開口部４１ａ及びカバー４２の形状は、略矩形に限らない。例えば、発熱基板の位置を勘案の上、開口部４１ａ及びカバー４２の形状として、楕円状、円状、台形状、Ｌ字、Ｔ字、Ｉ字、不規則形状等様々な形状が選択されてよい。
【００８５】
実施の形態２
実施の形態２は、バックキャビネット４の反り、撓み、波打ち等の変形を解消する形態に関する。バックキャビネット４の変形は、ビビリの発生要因ともなり得る。従って、実施の形態２は、視聴者に不快感を与えるビビリの発生を抑制する形態でもある。
【００８６】
図２９は、カバー４２裏側面の周縁部における拡大斜視図である。カバー４２裏側面の周縁部には、係止爪４２ｅ及び半球突起４２ｊが設けられている。半球突起４２ｊは半球状をなし、係止爪４２ｅよりもカバー４２のより外側に設けられている。図２９では、係止爪４２ｅ及び半球突起４２ｊは１つずつ描かれているが、実際には複数の係止爪４２ｅ及び半球突起４２ｊが交互にほぼ等間隔でカバー４２裏面の周縁部を取り囲むように設けられている。
【００８７】
図３０は、開口部４１ａの周縁付近のバックキャビネット本体４１及びカバー４２の断面図である。図３０は、組み立てられた状態のバックキャビネット本体４１及びカバー４２をカバー４２の法線及びカバー４２の例えば短辺に略平行な切断面で切断した断面図である。図３０Ａは、係止爪４２ｅが開口部４１ａの周壁、すなわち内筒４１ｃの周壁端面を係止している状態を示している。係止爪４２ｅの基部周辺のカバー４２裏側面は、バックキャビネット本体４１から僅かに隙間が設けられている。図３０Ｂは、カバー４２裏側面の縁端部に設けられた半球突起４２ｊが、内筒４２ｃ及び外筒４２ｄの間の開口部４１ａ周縁部における表側面に当接している状態を示している。内筒４２ｃ及び外筒４２ｄの間に対応するバックキャビネット本体４２の表側面は、開口部４１ａの周縁部の棚４１ｍに該当する（図６参照）。半球突起４２ｊの半径は、係止爪４２ｅの基部周辺のカバー４２裏側面とバックキャビネット本体４１の表側面との間の隙間の距離にほぼ等しい。
【００８８】
係止爪４２ｅは、カバー４２がバックキャビネット本体４１に対して浮く方向の変形を規制している。半球突起４２ｊは、カバー４２がバックキャビネット本体４１に対して沈む方向の変形を規制している。
カバー４２は細長い大きな板状であるため、反り、撓み、波打ち等の変形をしやすい。また、カバー４２の厚みを薄くした場合、変形は顕著になりやすい。特に、バックキャビネット本体４１とカバー４２とが接近している部分では、カバー４２の変形が目立ちやすい。しかし、交互に配列された係止爪４２ｅ及び半球突起４２ｊは、カバー４２の例えば波打ちを強制的に小さな波打ちにする効果を奏する。
【００８９】
図３１は、カバー４２の角部が浮き上がる変形に関する説明図である。図３１Ａは、組み立てられた状態のカバー４２角部付近の部分拡大図である。図３１Ｂは、図３１Ａの切断線Ｉ−Ｉで切断したバックキャビネット本体４１及びカバー４２の断面図である。
カバー４２の角部は、浮き上がる変形に対して抑え込む構造を作ることが困難な部分である。そこで、図３１Ｂに示すように、カバー４２の角部における厚みは、カバー４２の内側から外側に向かってわずかに薄くなるようにしてある。そして、カバー４２の角部における表側面は、内側から外側に向かって、表側から裏側に傾いた緩やかな傾斜面を構成している。これにより、カバー４２の角部が浮き上がる変形をした場合、浮き上がる変形量と予め構成されている表側面の勾配による落差とが相殺し合い、浮き上がる変形が目立たなくなる効果を奏する。
【００９０】
実施の形態２に係る係止爪４２ｅ及び半球突起４２ｊの交互配列、並びにカバー４２角部の表側面の傾斜構造によれば、カバー４２の反り、撓み、波打ち等の変形を低減することができる。これにより、テレビ受信装置１におけるビビリの発生を抑えることも可能である。
【００９１】
実施の形態２は以上の如きであり、その他は実施の形態１と同様であるので、対応する部分には同一の参照番号を付してその詳細な説明、作用及び効果を省略する。
【００９２】
実施の形態３
実施の形態３は、熱膨張又は熱収縮に伴うバックキャビネット本体４１及びカバー４２の間の溝４３の幅変化を抑制する形態に関する。
【００９３】
バックキャビネット本体４１及びカバー４２を夫々難燃性の異なる材料で成形した場合、バックキャビネット本体４１及びカバー４２の各熱膨張係数は異なる可能性がある。また、バックキャビネット本体４１及びカバー４２の形状は、熱的に等方的である球又は球殻ではないため、熱変形について異方性がある。そのため、組み立て後のバックキャビネット本体４１及びカバー４２の相対的位置関係は、温度変化に伴い変化する可能性がある。
【００９４】
図３２は、組み立て後のバックキャビネット本体４１及びカバー４２の一例をテレビ受信装置１の後側から見た平面拡大図である。バックキャビネット本体４１の開口部４１ａの周縁部における棚４１ｍの外縁（外筒４１ｄの位置に対応する）とカバー４２の周との間には、わずかな幅を有する溝４３が形成されている。図３に示すように、溝４３はカバー４２の周全体を取り囲んでいる。溝４３の幅は、カバー４２の周のどの部分も一定である。溝４３の底面は、開口部４１ａ周縁の棚４１ｍに該当する。溝４３は、バックキャビネット４に美観を与えると共に、熱変形によりバックキャビネット本体４１の開口部４１ａの周面（内筒４１ｃの内周面）とカバー４２の周端面とが接触しないためのバッファを形成する機能を有する。
しかし、熱変形により、バックキャビネット本体４１及びカバー４２の相対的位置関係が変化した場合、溝４３の幅はカバー４２の周の位置により異なる可能性がある。かかる場合、テレビ受信装置１の美観を損ねる結果となる。
【００９５】
図３３は、バックキャビネット本体４１及びカバー４２に夫々設けられた孔４１ｋ及び円柱突起４２ｋの一例を示す説明図である。図３３Ａは、バックキャビネット本体４１の開口部４１ａ上部の縁部に設けられた孔４１ｋをテレビ受信装置１の後側左斜め下から示した斜視図である。図３３Ｂは、カバー４２上部の裏側面の周縁部に設けられた円柱突起４２ｋをテレビ受信装置１の前側右斜め上から示した斜視図である。
【００９６】
孔４１ｋは、例えば矩形状をなし、開口部４１ａ周縁の棚４１ｍに開設されている。なお、孔４１ｋの形状は、円形状、楕円形状等でもよい。バックキャビネット本体４１を裏側から見た場合、孔４１ｋは内筒４１ｃ及び外筒４１ｄの間に配置する。孔４１ｋは、開口部４１ａの周に沿って複数形成されている。開口部４１ａの上側及び下側に配置する孔４１ｋの個数は、夫々例えば１２個である。開口部４１ａの両側方に配置する孔４１ｋの個数は、夫々例えば５個である。
【００９７】
円柱突起４２ｋは、円柱状をなし、カバー４２の裏側に立設されている。円柱突起４２ｋの先端は、丸みを帯び、半球状をなす。円柱突起４２ｋを高さ方向に対して垂直な切断面で切断した場合の断面積は、孔４１ｋの開口面積より小さい。円柱突起４２ｋは、カバー４２の周に沿って、カバー４２裏側面の周縁部に、孔４１ｋと同じ数だけ形成されている。カバー４２をバックキャビネット本体４１に取り付けた場合、円柱突起４２ｋは孔４１ｋと対向する位置に配置するように設けられている。そして、カバー４２をバックキャビネット本体４１に取り付けた場合、円柱突起４２ｋは対向する位置の孔４１ｋに遊嵌するように構成されている。
【００９８】
図３４は、カバー４２がバックキャビネット本体４１に取り付けられた場合における孔４１ｋ及び円柱突起４２ｋの一例を示す説明図である。図３４Ａは、孔４１ｋ及び円柱突起４２ｋの一例の断面図である。図３４Ａは、組み立てられた状態のバックキャビネット本体４１及びカバー４２をカバー４２の法線及びカバー４２の例えば短辺に略平行な切断面で切断した断面図である。図３４Ａは、一部の孔４１ｋ及び円柱突起４２ｋの断面を拡大して示している。図３４Ｂは、組み立てられた状態のバックキャビネット本体４１及びカバー４２について、カバー４２の表側から見た斜視図である。図３４Ｂでは、カバー４２に隠れて本来見えない孔４１ｋ及び円柱突起４２ｋ並びに係止爪４２ｅを鎖線で示している。図３４Ｂは、円柱突起４２ｋが孔４１ｋの略中央に遊嵌している状態を示している。
【００９９】
温度変化により、組み立て後のバックキャビネット本体４１及びカバー４２の相対的位置が変化した場合、孔４１ｋに遊嵌されている円柱突起４２ｋの位置は孔４１ｋの周面に対して移動する。しかし、円柱突起４２ｋが孔４１ｋの周面に当接した場合、孔４１ｋに対する円柱突起４２ｋの移動は規制される。そのため、孔４１ｋを含むバックキャビネット本体４１に対する円柱突起４２ｋを含むカバー４２の相対的移動は、規制される。円柱突起４２ｋと孔４１ｋとは、カバー４２の周縁に複数設けられているため、孔４１ｋに対する円柱突起４２ｋの移動の規制方位及び規制量は、カバー４２の周の位置によって異なり多様である。その結果、カバー４２の周の位置毎に、バックキャビネット本体４１及びカバー４２の間の溝４３の幅が変化することは抑えられるため、溝４３の幅はカバー４２の周のどの部分も一定に保たれる。従って、孔４１ｋ及び円柱突起４２ｋは、バックキャビネット４の美観を維持することに貢献する。
【０１００】
実施の形態３は以上の如きであり、その他は実施の形態１、２と同様であるので、対応する部分には同一の参照番号を付してその詳細な説明、作用及び効果を省略する。
【０１０１】
実施の形態４
実施の形態４は、バックキャビネット４の内部を単一の開口部４１ａでくり抜くのではなく、格子状の組子により複数の開口部が形成される形態に関する。また、実施の形態４は、開口部を覆うカバー４２の代わりに多くの穴が開けられた薄いパンチングシートを、複数の開口部を形成する組子に貼る形態に関する。
【０１０２】
図３５は、バックキャビネット４の分割部材の一例をテレビ受信装置１の後側から見た平面図である。
バックキャビネット４は、バックキャビネット本体４１０及びカバーシート４２０を含む。図３５Ａは、バックキャビネット本体４１０をテレビ受信装置１の後側から見た平面図である。図３５Ｂは、カバーシート４２０をテレビ受信装置１の後側から見た平面図である。
【０１０３】
バックキャビネット本体４１０は、バックキャビネット本体４１と同じ内筒４１ｃ及び外筒４１ｄを有す（図３５Ａには図示されていない。例えば、図４参照）。しかし、バックキャビネット本体４１０は、突部４１ｂ、案内突部４１ｆ等を有さない。内筒４１ｃ及び外筒４１ｄはエンクロージャの機能を有す。
バックキャビネット本体４１０は、バックキャビネット本体４１の開口部４１ａに対応する部分に上下方向と左右方向とに配列した複数の組子４１ｍを有す。この格子状をなす組子４１ｍにより、バックキャビネット本体４１０の上部中央には、複数の開口部４１０ａが形成されている。組子４１ｍの太さ及び本数は、バックキャビネット本体４１０の強度を考慮して決定されてよい。図３５Ａは、組子４１ｍの太さ及び本数の一例を示している。
内筒４１ｃ、外筒４１ｄ及び組子４１ｍを含むバックキャビネット本体４１０は、難燃性Ｖ−１以上の材料（例えば、樹脂材）を用いて一体成形により形成される。
【０１０４】
カバーシート４２０は、難燃性ＨＢの材料（例えば、樹脂材）を用いて成形された軽量で薄いシートである。カバーシート４２０の形状及び平面的な大きさは、複数の開口部４１０ａの全体に応じて決定される。図３５の例では、カバーシート４２０の形状は矩形状である。カバーシート４２０の厚さは、例えば０．５ｍｍである。カバーシート４２０には、パンチングにより多くの穴４２ｍが設けられている。穴４２の大きさは、異物遮蔽に関する安全規格を満たす大きさであればよい。穴４２ｍの形状は特に限定されないが、例えば穴が円形である場合、その直径は、例えば２ｍｍ〜４ｍｍである。
カバーシート４２０は、カバー４２が有している係止爪４２ｅ、板状突部４２ｃ、４２ｄ等を有さない。
【０１０５】
図３６は、バックキャビネット４の一例をテレビ受信装置１の後側から見た平面図である。バックキャビネット４を組み立てる場合、バックキャビネット本体４１０の組子ｍにカバーシート４２０が、接着剤、両面テープ等により貼られる。
【０１０６】
実施の形態４に係るテレビ受信装置１によれば、バックキャビネット本体４１０に多くの開口部４１０ａが設けられているため、成形時の金型圧力を低減することができる。
カバーシート４２０は軽量であり、テレビ受信装置１の組み立て作業におけるカバーシート４２０の貼設は容易である。これにより、作業員の負担は軽減され、組み立て効率が向上する。
組子４１ｍからなるバックキャビネット本体４１０の格子部の周囲には、エンクロージャの機能を有する内筒４１ｃ及び外筒４１ｄがテレビ受信装置１の内部に向かって周設されているため、カバーシート４２０の難燃グレードを下げることができる。なお、外筒４１ｄは、なくてもよい。
バックキャビネット本体４１０に形成された開口部４１０ａと、カバーシート４２０に形成された穴４２ｍとは、テレビ受信装置１内部の熱を外部に放出する効果を奏する。
【０１０７】
実施の形態４は以上の如きであり、その他は実施の形態１乃至３と同様であるので、対応する部分には同一の参照番号を付してその詳細な説明、作用及び効果を省略する。
【０１０８】
実施の形態５
実施の形態５は、バックキャビネット４を上下２つの筐体部分に直線状に分割する形態に関する。電源基板Ｐ、駆動基板Ｄ等の発熱体が設けられた表示部２の下部後側面は、高難燃性の下部バックキャビネットにより覆われる。発熱体が設けられていない表示部２の後側上部は、低難燃性の上部バックキャビネットにより覆われる。
【０１０９】
図３７は、バックキャビネット４の分割部材の一例をテレビ受信装置１の後側から見た平面図である。バックキャビネット４は、上部バックキャビネット４５及び下部バックキャビネット４６を含む。図３７Ａは、上部バックキャビネット４５をテレビ受信装置１の後側から見た平面図である。図３７Ｂは、下部バックキャビネット４６をテレビ受信装置１の後側から見た平面図である。
図３８は、バックキャビネット４の分割部材の一例をテレビ受信装置１の前側から見た平面図である。図３８Ａは、上部バックキャビネット４５をテレビ受信装置１の前側から見た平面図である。図３８Ｂは、下部バックキャビネット４６をテレビ受信装置１の前側から見た平面図である。
図３９は、バックキャビネット４の分割部材の一例をテレビ受信装置１の後側左斜め下から見た斜視図である。図３９Ａは、上部バックキャビネット４５をテレビ受信装置１の後側左斜め下から見た斜視図である。図３９Ｂは、下部バックキャビネット４６をテレビ受信装置１の後側左斜め下から見た斜視図である。
【０１１０】
実施の形態５に係るバックキャビネット４は、中心を通過する左右方向の直線的な分割線により、大きく上側の上部バックキャビネット４５と下側の下部バックキャビネット４６とに分割されている。上部バックキャビネット４５及び下部バックキャビネット４６を表側（後側）及び裏側（前側）から平面視した形状は、共に横長の略矩形である。
【０１１１】
上部バックキャビネット４５は、発熱体が設置されていない表示部２の上部後側面を覆う筐体部分であり、難燃性ＨＢの材料（例えば、樹脂材）を用いて一体成形により形成される。他方、下部バックキャビネット４６は、電圧が印加されて発熱する電源基板Ｐ、駆動基板Ｄ等を後側から覆う筐体部分であり、難燃性Ｖ−１以上の材料（例えば、樹脂材）を用いて一体成形により形成される。下部バックキャビネット４６の裏側（前側）上端に近い部分には、左右方向に延びてエンクロージャの機能を有するリブ４６Ｌが突設されている（図３８Ｂ参照）。リブ４６Ｌについては、後述する。
【０１１２】
上部バックキャビネット４５の下端には、ポケット４５Ｐが形成されている。ポケット４５Ｐの口は下方に向かって設けられており、ポケット４５Ｐの奥行方向は上方である。ポケット４５Ｐは、左右方向に伸びた形状をなし、ポケット４５Ｐの左右方向の幅は奥行き方向の長さより長い。上部バックキャビネット４５には、例えば４個のポケット４５Ｐが設けられている。ポケット４５Ｐ各々は、上部バックキャビネット４５の下端に沿って左右方向に離間し、かつ左右方向に配列している。４個のポケット４５Ｐにおける奥行方向の長さは、どれもが同じである。
【０１１３】
正面視した場合、左右端に夫々１個ずつ配置するポケット４５Ｐの左右方向の幅は、等しい。また、正面視した場合、左右端のポケット４５Ｐに挟まれ、上部バックキャビネット４５下端中央の両脇に配置する２個のポケット４５Ｐの左右方向の幅は、等しい。左右端に配置するポケット４５Ｐの左右方向の幅は、中央の両脇に配置するポケット４５Ｐの左右方向の幅よりも広い。上部バックキャビネット４５下端中央に対して、各ポケット４５Ｐの配置及びサイズは左右対称である。
【０１１４】
下部バックキャビネット４６の上端には、上方に延びたフック４６Ｈが形成されている。フック４６Ｈは複数からなり、左右方向に離間し、かつ左右方向に配列している。図３７Ｂ、図３８Ｂ及び図３９Ｂにおける下部バックキャビネット４６の例では、１４個のフック４６Ｈが下部バックキャビネット４６の上端に設けられている。１４個のフック４６Ｈにおける上下方向の長さは、どれもが同じである。上部バックキャビネット４５下端の左右端に１個ずつ配置するポケット４５Ｐと対向する下部バックキャビネット４６の位置に、夫々４個のフック４６Ｈが設けられている。上部バックキャビネット４５下端中央の両脇に配置する２個のポケット４５Ｐと対向する下部バックキャビネット４６の位置に、夫々３個のフック４６Ｈが設けられている。
【０１１５】
フック４６Ｈにおける左右方向の幅は、フック４６Ｈによって異なる。上部バックキャビネット４５下端の左右端に１個ずつ配置するポケット４５Ｐと対向する下部バックキャビネット４６の位置に設けられた各４個のフック４６Ｈは、最も長い左右方向の幅を有し、各幅は同じである。上部バックキャビネット４５下端中央の両脇に配置する２個のポケット４５Ｐと夫々対向する下部バックキャビネット４６の位置に設けられた各３個のフック４６Ｈは、３個とも異なる左右方向の幅を有す。これら各３個のフック４６Ｈの左右方向の幅は、夫々３個の中で中央に位置するフック４６Ｈが最も長く、下部バックキャビネット４６上端中央により近いフック４６Ｈが最も短い。下部バックキャビネット４６の上端中央に対して、１４個のフック４６Ｈの配置及びサイズは左右対称である。
【０１１６】
フック４６Ｈは、ポケット４５Ｐ内部に挿入可能に構成されており、フック４６Ｈがポケット４５Ｐ内部で係止されることにより、上部バックキャビネット４５及び下部バックキャビネット４６は結合するように構成されている。
【０１１７】
図４０は、バックキャビネット４の組み立て途中の状態を示す説明図である。図４０は、上部バックキャビネット４５及び下部バックキャビネット４６の部分を示している。また、図４０の白抜き矢印は、ポケット４５Ｐへのフック４６Ｈの挿入方向を示している。１個のポケット４５Ｐに複数のフック４６Ｈが挿入されるが、離間するフック４６Ｈの間に対応するポケット４５Ｐの内面には、ポケット４５Ｐ内部を仕切るポケット仕切りリブ４５ＰＬが設けられている。ポケット仕切りリブ４５ＰＬは、ポケット４５Ｐの内面のうち、テレビ受信装置１の前側に面した内面に設けられている。
【０１１８】
図４１は、バックキャビネット４の組み立て途中の状態を示す説明図である。図４１は、上部バックキャビネット４５及び下部バックキャビネット４６の部分を示している。図４１における下方及び上方は、夫々バックキャビネット４の表側及び裏側である。また、図４１における下方及び上方は、夫々テレビ受信装置１の前側及び後側である。図４１における左方向及び右方向は、夫々テレビ受信装置１の上方及び下方である。図４１は、テレビ受信装置１の左右方向に対して垂直な面で上部バックキャビネット４５及び下部バックキャビネット４６を切断した場合の断面を示している。図４１Ａは、下部バックキャビネット４６のフック４６Ｈを上部バックキャビネット４５のポケット４５Ｐに挿入する前の状態を示す説明図である。図４１Ｂは、下部バックキャビネット４６のフック４６Ｈを上部バックキャビネット４５のポケット４５Ｐに挿入している途中の状態を示す説明図である。図４１Ｃは、下部バックキャビネット４６のフック４６Ｈが上部バックキャビネット４５のポケット４５Ｐ内部で係止されている状態を示す説明図である。
【０１１９】
下部キャビネット４６の上端には、屈曲して裏側（前側）に落ち込んだ段部４６１が設けられている。フック４６Ｈは、段部４６１の先端に設けられている。フック４６Ｈは、段部４６１の先端から屈曲し、更に裏側（前側）に落ち込んでいる。そのため、段部４６１及びフック４６Ｈは、２段の屈曲部を有するクランク状をなしている。フック４６Ｈの先端にはバックキャビネット４の表側（後側）に屈曲する鉤４６ｈが設けられている。
【０１２０】
他方、ポケット４５Ｐ内においてテレビ受信装置１の前側に面した内面には、フック４６Ｈの鉤４６ｈと係止可能なフック係止リブ４５Ｌが設けられている。フック係止リブ４５Ｌは、ポケット４５Ｐの口から奥に向かって高さが高くなり、ポケット４５Ｐの最奥面よりも手前で途切れている。フック係止リブ４５Ｌは三角柱状をなし、図４１におけるフック係止リブ４５Ｌの形状は楔状をなす。１個のフック４６Ｈに対して、例えば２個のフック係止リブ４５Ｌがポケット４５Ｐの内面に設けられている（図４０参照）。各フック係止リブ４５Ｌは、１４個のフック４６Ｈ全てと対応するように、テレビ受信装置１の左右方向に配列している。
【０１２１】
フック４６Ｈの鉤４６ｈをフック係止リブ４５Ｌに係止する場合、上部バックキャビネット４５に対して下部バックキャビネット４６の下端側がより表側（後側）に位置するように傾斜させる（図４１Ｂ）。フック係止リブ４５Ｌをフック４６Ｈで覆うようにポケット４５Ｐ内部にフック４６Ｈを挿入する。上部バックキャビネット４５に対して下部バックキャビネット４６の傾斜がなくなるように、下部バックキャビネット４６の下端側をより裏側（前側）に近づけるべく、鉤４６ｈを軸にして下部バックキャビネット４６を回転させる。フック４６Ｈがフック係止リブ４５Ｌに係止される場合（図４１Ｃ）、鉤４６ｈの下側面がフック係止リブ４５Ｌの上側面と当接し、かつフック４６Ｈの裏側（前側）面がポケット４５Ｐにおける表側（後側）の内面と当接する。更に、フック４６Ｈがフック係止リブ４５Ｌに係止される場合（図４１Ｃ）、上部バックキャビネット４５の下端面が段部４６１の先端面と当接する。
下部バックキャビネット４６を上部バックキャビネット４５から分離する場合、図４１Ａ、図４１Ｂ及び図４１Ｃの順序と逆の手順により、下部バックキャビネット４６を取り外す。
【０１２２】
上部バックキャビネット４５と下部バックキャビネット４６とを結合した場合、段部４６１の表側面（後側面）と上部バックキャビネット４５の表側面（後側面）とは、滑らかな平面となるようにフック４６Ｈの基部における屈曲部の段差は調整されている。これにより、テレビ受信装置１の背面の美観が保たれている。
なお、ポケット４５Ｐ内の最奥面と裏側（前側）の内面とがなす角部には、ポケット４５Ｐの強度を補強するポケット補強リブ４５ＰＬｒが設けられている。
【０１２３】
段部４６１の付け根部分における裏側面（前側面）から、リブ４６Ｌが突設されている。リブ４６Ｌは、下部バックキャビネット４６が覆う電源基板Ｐ、駆動基板Ｄ等から、上部バックキャビネット４５を隔てるエンクロージャの機能を有す。
【０１２４】
図４２は、バックキャビネット４の一例をテレビ受信装置１の後側から見た平面図である。
図４３は、バックキャビネット４の一例をテレビ受信装置１の前側から見た平面図である。
図４４は、バックキャビネット４の一例をテレビ受信装置１の後側左斜め下から見た斜視図である。
組み立て後のバックキャビネット４において、フック４６Ｈはポケット４５Ｐ内部に収納され、テレビ受信装置１の外側及び内側からフック４６Ｈを見ることはできない（図４２、図４３及び図４４）。また、外観上ポケット４５Ｐを見ることはできない（図４２及び図４４）。
外観上リブ４６Ｌを見ることはできない（図４２及び図４４）。しかし、テレビ受信装置１の内側からバックキャビネット４を見た場合（図４３）、リブ４６Ｌは、上部バックキャビネット４５と下部バックキャビネット４６とを一直線状に仕切る壁となっている。
【０１２５】
次に、フロントキャビネット３及び表示部２に対するバックキャビネット４の取付方法について説明する。水平面上に、フロントキャビネット３、表示部２及び上部バックキャビネット４５をこの順に位置合わせして重ねる。そして、上部バックキャビネット４５の周縁に設けられたねじ通し孔からねじを入れ、ねじでこれらの部材を固定する。
次に、図４１に示した手順で、フック４６Ｈをポケット４５Ｐに挿入し、下部バックキャビネット４６を上部バックキャビネット４５に仮固定する。その後、下部バックキャビネット４６の周縁に設けられたねじ通し孔からねじを入れ、ねじで下部バックキャビネット４６をフロントキャビネット３及び表示部２に固定する。
なお、下部バックキャビネット４６が覆っている受信部Ｔ、電源基板Ｐ若しくは駆動基板Ｄを交換又は修理する場合、上部バックキャビネット４５が固定された状態で、下部バックキャビネット４６のみを取り外す。
【０１２６】
実施の形態５に係るテレビ受信装置１によれば、バックキャビネット４を上部バックキャビネット４５と下部バックキャビネット４６とに分割しているため、成形時の金型圧力を低減することができる。
上部バックキャビネット４５と下部バックキャビネット４６とは、夫々容易に組み立て可能かつ分解可能な結合構造（ポケット４５Ｐ及びフック４６Ｈ）を有している。そのため、バックキャビネット４の部品点数が２点に増えても、バックキャビネット４の組み立て作業及び分解作業に支障を来さない。
【０１２７】
リブ４６Ｌを有する下部バックキャビネット４５は、単体でエンクロージャとして成り立つため、上部バックキャビネット４５の難燃グレードを下げた場合であっても、安全規格において支障を来すことはない。
実施の形態５に係るテレビ受信装置１によれば、下部バックキャビネット４６のみの取り外しが可能であるため、受信部Ｔ、電源基板Ｐ若しくは駆動基板Ｄのメンテナンス作業を簡単に行うことができる。
【０１２８】
実施の形態５は以上の如きであり、その他は実施の形態１乃至４と同様であるので、対応する部分には同一の参照番号を付してその詳細な説明、作用及び効果を省略する。
【０１２９】
実施の形態６
実施の形態６は、実施の形態１に係るバックキャビネット本体４１及びカバー４２が含まれたバックキャビネット４を二色成形（ダブルモールド）により一体に成形する形態に関する。そのため、バックキャビネット４は、バックキャビネット本体４１及びカバー４２に分割されておらず、一体である。バックキャビネット本体４１に対応する部位は難燃性の高い樹脂材（例えば、Ｖ−１以上）により、カバー４２に対応する部位は難燃性の低い樹脂材（例えば、ＨＢ）により成形される。
【０１３０】
実施の形態６に係るバックキャビネット４は、一体であるため、テレビ受信装置１を組み立てる場合、バックキャビネット本体４１及びカバー４２に対応する部位を結合する必要がない。そのため、実施の形態６に係るキャビネット４は、バックキャビネット本体４１及びカバー４２が夫々有する突部４１ｂ、案内突部４１ｆ等及び係止爪４２ｅ、板状突部４２ｃ、４２ｄ等を有さない。
【０１３１】
（実施例６−１）
実施例６−１は、バックキャビネット４を成形するために、バックキャビネット本体４１及びカバー４２に夫々対応する金型内部の空洞の間に仕切りを設ける実施例に関する。
【０１３２】
図４５は、バックキャビネット４を成形する金型５の一例を示す断面図である。図４５の上方及び下方は、夫々バックキャビネット４の上方及び下方に対応する。図４５の右方向及び左方向は、夫々バックキャビネット４の表側及び裏側に対応する。図４５は、上下方向及びバックキャビネット４の法線に対して平行な面で金型５を切断した断面図である。
【０１３３】
金型５は、雄型５１、雌型５２及び仕切り部５３を含む。雄型５１は、可動なコアである。雌型５２は、固定されたキャビティである。雌型５２は、金型５内部の空洞５４、５５部分（キャビティ）に充填される樹脂材の流路であるランナー５２１、５２２、５２３を有す。ランナー５２１は、カバー４２に対応する部位を成形するための流路である。ランナー５２２、５２３は、バックキャビネット本体４１に対応する部位を成形するための流路である。雄型５１を例えばスライドすることにより、金型５は型閉（型締）及び型開される。
【０１３４】
図４６は、バックキャビネット本体４１に仕切り部５３を重ねて示した説明図である。図４６は、バックキャビネット本体４１及び仕切り部５３をテレビ受信装置１の後側から見た様子を示している。仕切り部５３は、バックキャビネット本体４１の開口部４１ａの周囲に対応する雌型５２の部分に配置される枠状の部材である。仕切り部５３は、金型５においてカバー４２に対応する空洞５５に樹脂材を注入した場合、樹脂材が外側のバックキャビネット本体４１に対応する空洞５４に移動しないように、樹脂材をせき止める機能を有す。前側から見た仕切り部５３の枠の幅は、例えば溝４３の幅に等しい。溝４３は、開口部４１ａの周縁部における棚４１ｍの外縁とカバー４２の周との間に形成される空間である（図３、図３２及び図３４Ｂ参照）。
【０１３５】
次に、実施例６−１に係るバックキャビネット４の成形方法について説明する。雌型５２に仕切り部５３を装着し、雄型５１をスライド移動して、金型５を型閉する。ランナー５２１を介して、ノズルによりカバー４２に対応する空洞５５に低難燃性樹脂材を射出する。カバー４２を構成する低難燃性樹脂材が冷却した段階で（例えば、射出終了から２、３分経過後）、金型５を型開する。雌型５２から仕切り部５３を取り外す。再び、金型５を型閉する。ランナー５２２、５２３を介して、ノズルによりバックキャビネット本体４１に対応する空洞５４に高難燃性樹脂材を射出する。バックキャビネット本体４１を構成する高難燃性樹脂材が冷却した段階で、金型５を型開する。成形品であるバックキャビネット４を金型５から取り出す。
【０１３６】
金型５により成形されるバックキャビネット４の裏側面（前側面）には、カバー４２に対応する部位の周囲に、高難燃性樹脂からなる内筒４１ｃ及び外筒４１ｄが形成される。内筒４１ｃ及び外筒４１ｄはエンクロージャの機能を有す。
なお、内筒４１ｃ及び外筒４１ｄを設けずに、図４５における仕切り部５３を雄型５１の方向に延設してもよい。仕切り部５３を取り外して金型５を型閉した後に、射出される高難燃性樹脂材は、仕切り部５３が占めていた空洞５４を充填する。テレビ受信装置１の前側へ向かって仕切り部５３の高さを高くすることにより、仕切り部５３が占めていた空洞５４に充填された高難燃性樹脂材は、エンクロージャの機能を有する部位を構成することになる。
【０１３７】
実施例６−１では、カバー４２に対応する部位を成形した後に、バックキャビネット本体４１に対応する部位を成形した。しかし、この成形順序は逆でもよい。すなわち、バックキャビネット本体４１に対応する部位を成形した後に、カバー４２に対応する部位を成形してもよい。
【０１３８】
実施例６−１では、バックキャビネット４を成形するサイクルの中に、仕切り部５３の装着及び取り外しの工程が含まれるものの、型閉工程から型開行程を経て、成形品の取出工程まで、１サイクルでバックキャビネット４を成形することができる。
【０１３９】
（実施例６−２）
実施例６−２は、予めカバー４２に対応する部位を成形しておき、雌型５２に成形済みのカバー４２を装着後、バックキャビネット本体４１に対応する部位を成形する実施例に関する。
【０１４０】
図４７は、バックキャビネット４を成形する金型５０の一例を示す断面図である。図４７の上方及び下方は、夫々バックキャビネット４の上方及び下方に対応する。図４７の右方向及び左方向は、夫々バックキャビネット４の表側及び裏側に対応する。図４７は、上下方向及びバックキャビネット４の法線に対して平行な面で金型５０を切断した断面図である。
【０１４１】
金型５０は、雄型５１０及び雌型５２０を含む。雄型５１０は、可動なコアである。雌型５２０は、固定されたキャビティである。雌型５２０は、金型５０内部の空洞５４０部分に充填される樹脂材の流路であるランナー５２４、５２５を有す。ランナー５２４、５２５は、バックキャビネット本体４１に対応する部分を成形するための流路である。雄型５１０を例えばスライドすることにより、金型５０は型閉及び型開される。
【０１４２】
型閉された金型５０の内部には、空洞５４０、５４１が形成されている。空洞５４０は、バックキャビネット本体４１に対応する空間である。空洞５４１は、カバー４２に対応する空間である。空洞５４１と接する空洞５４０の部分は、カバー４２に対応する部位と接するバックキャビネット本体４１に対応する部位であり、テレビ受信装置１の前側に突出している。この突出した空洞５４０に充填される高難燃性樹脂材は、エンクロージャの機能を有する部位を構成することになる。
【０１４３】
次に、実施例６−２に係るバックキャビネット４の成形方法について説明する。まず、カバー４２に対応するバックキャビネット４の部位を成形する。そのために、カバー４２に対応するバックキャビネット４の部位を成形するための金型（図示せず）を用意する。当該金型に低難燃性樹脂材を射出し、低難燃性樹脂材の冷却後、カバー４２に対応するバックキャビネット４の部位である成形品を当該金型から取り出す。
【０１４４】
空洞５４１に対応する雌型５２０の部分に、予め形成したカバー４２に対応するバックキャビネット４の部材を装着する。雄型５１０をスライド移動して、金型５０を型閉する。ランナー５２４、５２５を介して、ノズルによりバックキャビネット本体４１に対応する空洞５４０に高難燃性樹脂材を射出する。バックキャビネット本体４１に対応する部位を構成する高難燃性樹脂材が冷却した段階で、金型５０を型開する。成形品であるバックキャビネット４を金型５０から取り出す。
【０１４５】
（実施例６−３）
実施例６−３は、バックキャビネット本体４１及びカバー４２に夫々対応する金型の空洞に高難燃性樹脂材及び低難燃性樹脂材を別々に射出するランナーを設け、各ランナーを介して高難燃性樹脂材及び低難燃性樹脂材を同時に金型に注入する実施例に関する。
【０１４６】
図４８は、バックキャビネット４を成形する金型５００の一例を示す断面図である。図４８の上方及び下方は、夫々バックキャビネット４の上方及び下方に対応する。図４８の右方向及び左方向は、夫々バックキャビネット４の表側及び裏側に対応する。図４８は、上下方向及びバックキャビネット４の法線に対して平行な面で金型５００を切断した断面図である。
【０１４７】
金型５００は、雄型５５０及び雌型５６０を含む。雄型５５０は、可動なコアである。雌型５６０は、固定されたキャビティである。
型閉された金型５００の内部には、空洞５４２、５４３が形成されている。空洞５４２は、バックキャビネット本体４１に対応する空間である。空洞５４３は、カバー４２に対応する空間である。
【０１４８】
雌型５６０は、金型５００内部の空洞５４２、５４３に充填される樹脂材の流路であるランナー５２６〜５３３を有す。ランナー５２６、５２７、５２８、５２９、５３０は、バックキャビネット本体４１に対応する部位を成形するための流路である。ランナー５３１、５３２、５３３は、カバー４２に対応する部位を成形するための流路である。
雄型５５０を例えばスライドすることにより、金型５００は型閉及び型開される。
【０１４９】
空洞５４２及び空洞５４３の境界は、ランナー５２７及びランナー５３１のゲートの間に、並びにランナー５２８及びランナー５３３のゲートの間に位置する。成形後のバックキャビネット４におけるバックキャビネット本体４１に対応する部位とカバー４２に対応する部位との境界が、樹脂材の流動によって大きくずれないようにすることが好ましい。そこで、空洞５４２及び空洞５４３の境界に隣接するように、ランナー５２７及びランナー５３１のゲート並びにランナー５２８及びランナー５３３のゲートは配置されている。
【０１５０】
次に、実施例６−３に係るバックキャビネット４の成形方法について説明する。
雄型５５０をスライド移動して、金型５００を型閉する。ランナー５２６〜５３０を介して、ノズルによりバックキャビネット本体４１に対応する部位の空洞５４２に高難燃性樹脂材を射出する。これと同時に、ランナー５３１〜５３２を介して、ノズルによりカバー４２に対応する部位の空洞５４３に低難燃性樹脂材を射出する。高難燃性樹脂材及び高難燃性樹脂材が冷却した段階で、金型５００を型開する。成形品であるバックキャビネット４を金型５００から取り出す。
【０１５１】
実施例６−３において、バックキャビネット４は、１サイクルの２色成形により、バックキャビネット本体４１に対応する部位とカバー４２に対応する部位とが同時に成形される。そのため、実施例６−３におけるバックキャビネット４の成形効率は高い。
金型５００には、実施例６−１における金型５のように、仕切り部５３は設けられていない。そのため、注入される低難燃性樹脂材及び高難燃性樹脂材は、射出過程又は保圧過程において、多少混合する。そこで、エンクロージャとなるバックキャビネット本体４１と、カバー４２との境界を、安全規格を満たすべく、より安全側にシフトしてもよい。すなわち、カバー４２に対応する部分の面積をより狭くする方向に、あるいは図４８における空洞５４３が狭くなる方向に、低難燃性樹脂材及び高難燃性樹脂材を別々に射出するゲートの位置を、ずらしてもよい。
【０１５２】
実施の形態６では、実施の形態１に係るバックキャビネット本体４１及びカバー４２に夫々対応する部位を二色成形により一体に成形した。しかし、実施の形態５に係る上部バックキャビネット４５及び下部バックキャビネット４６に夫々対応する部位も二色成形により一体に成形されてもよい。かかる場合も、金型に仕切り部を設ける方法が考えられる。また、予め上部バックキャビネット４５又は下部バックキャビネット４６に対応する部位を成形しておき、成形した部位を金型に装着して、残りの部位を成形する方法が考えられる。更に、高難燃性樹脂材及び低難燃性樹脂材を同時に金型に注入することにより、上部バックキャビネット４５及び下部バックキャビネット４６に夫々対応する部位を同時に成形する方法が考えられる。
【０１５３】
実施の形態６に係るバックキャビネット４の製造方法によれば、高難燃性樹脂材により構成される部位と、低難燃性樹脂材により構成される部位とを一体に、かつ短時間で成形することができる。そのため、実施の形態６に係るバックキャビネット４の製造方法は、バックキャビネット４の製造コストを低減することができる。
【０１５４】
高難燃性樹脂材により構成される部位と、低難燃性樹脂材により構成される部位とを別々に成形した場合、これらの部位を結合するための構造を各部位は備えていなければならない。また、テレビ受信装置１の組み立て作業には、これらの部位を結合する工程が必要である。しかしながら、実施の形態６に係る製造方法で成形されたバックキャビネット４によりテレビ受信装置１を組み立てる場合、高難燃性樹脂材により構成される部位と、低難燃性樹脂材により構成される部位とが最初から一体であるバックキャビネット４を用いることになる。そのため、これらの部位を結合する工程は不要である。従って、実施の形態６に係るバックキャビネット４の製造方法は、テレビ受信装置１の組み立てに要するコスト及び時間を低減することができる。
【０１５５】
実施の形態６は以上の如きであり、その他は実施の形態１乃至５と同様であるので、対応する部分には同一の参照番号を付してその詳細な説明、作用及び効果を省略する。
【符号の説明】
【０１５６】
１          テレビ受信装置
２          表示部
３          フロントキャビネット
４          バックキャビネット
４１        バックキャビネット本体
４１ａ      開口部
４１ｂ      突部（案内突部）
４１ｃ      内筒
４１ｄ      外筒
４１ｅ      開口
４１ｆ      案内突部
４１１ｆ    窪み
４２        カバー（蓋体）
４２ｅ      係止爪
４２１ｅ    屈曲板部（基部）
４２２ｅ    先端部
４２３ｅ    補強リブ
４２ｃ      板状突部（位置決め突部）
４２ｄ      板状突部（位置決め突部）
４１０      バックキャビネット本体
４１０ａ    開口部
４１ｍ      組子
４２０      カバーシート
４２ｍ      穴
４５        上部バックキャビネット
４５Ｐ      ポケット
４５ＰＬ    ポケット仕切りリブ
４５ＰＬｒ  ポケット補強リブ
４５Ｌ      フック係止リブ
４６        下部バックキャビネット
４６Ｈ      フック
４６ｈ      鉤
４６Ｌ      リブ
４６１      段部
５          金型
５１        雄型
５２        雌型
５３        仕切り部
５０        金型
５１０      雄型
５２０      雌型
５００      金型
５５０      雄型
５６０      雌型
Ｔ          受信部
Ｐ          電源基板（回路基板）
Ｄ          駆動基板（回路基板）
【要約】
【課題】筐体を分割しつつ、安全性を担保することができる表示装置及びテレビ受信装置を提供する。
【解決手段】前側に表示面を有する表示部と、該表示部の周縁部を取り囲むフロントキャビネットと、前記表示部の後側を覆うバックキャビネットとを備え、前記バックキャビネットは開口部４１ａが設けられたバックキャビネット本体４１及び開口部４１ａを閉鎖するようにバックキャビネット本体４１に取り付けられるカバー４２からなる表示装置において、カバー４２はバックキャビネット本体４１を構成する材料と異なる材料から構成されている。
【選択図】図５【図１】
0005122010.tif 000002
【図２】
0005122010.tif 000003
【図３】
0005122010.tif 000004
【図４】
0005122010.tif 000005
【図５】
0005122010.tif 000006
【図６】
0005122010.tif 000007
【図７】
0005122010.tif 000008
【図８】
0005122010.tif 000009
【図１０】
0005122010.tif 000010
【図１１】
0005122010.tif 000011
【図１３】
0005122010.tif 000012
【図１４】
0005122010.tif 000013
【図１５】
0005122010.tif 000014
【図１６】
0005122010.tif 000015
【図１７】
0005122010.tif 000016
【図１８】
0005122010.tif 000017
【図１９】
0005122010.tif 000018
【図２０】
0005122010.tif 000019
【図２１】
0005122010.tif 000020
【図２２】
0005122010.tif 000021
【図２５】
0005122010.tif 000022
【図２６】
0005122010.tif 000023
【図２７】
0005122010.tif 000024
【図２８】
0005122010.tif 000025
【図２９】
0005122010.tif 000026
【図３０】
0005122010.tif 000027
【図３１】
0005122010.tif 000028
【図３２】
0005122010.tif 000029
【図３３】
0005122010.tif 000030
【図３４】
0005122010.tif 000031
【図３５】
0005122010.tif 000032
【図３６】
0005122010.tif 000033
【図３７】
0005122010.tif 000034
【図３８】
0005122010.tif 000035
【図３９】
0005122010.tif 000036
【図４０】
0005122010.tif 000037
【図４１】
0005122010.tif 000038
【図４２】
0005122010.tif 000039
【図４３】
0005122010.tif 000040
【図４４】
0005122010.tif 000041
【図４５】
0005122010.tif 000042
【図４６】
0005122010.tif 000043
【図４７】
0005122010.tif 000044
【図４８】
0005122010.tif 000045
【図９】
0005122010.tif 000046
【図１２】
0005122010.tif 000047
【図２３】
0005122010.tif 000048
【図２４】
0005122010.tif 000049